(57)【要約】      （修正有）【課題】梱包材のみを保管する際に、コンパクトに保管することができる梱包材を提供する。【解決手段】被梱包物Ｐを梱包した状態で、上下方向に段積みされる梱包材１であって、梱包材１は、被梱包物の底部Ｐｂを収納する収納凹部１４が形成された底部梱包部材１０と、梱包材を上下方向に段積みした状態で、上段の梱包材の底部梱包部材を支持するように、下段の梱包材の底部梱包部材に着脱自在に嵌合する複数のスペーサー２０と、を備える。底部梱包部材の収納凹部には、底部梱包部材から取り外した複数のスペーサーを収納する空間が形成されている。【選択図】図１
0003201446.tif 000002
【実用新案登録請求の範囲】
【請求項１】
被梱包物を梱包した状態で、上下方向に段積みされる梱包材であって、
前記梱包材は、前記被梱包物の底部を収納する収納凹部が形成された底部梱包部材と、
前記梱包材を上下方向に段積みした状態で、上段の梱包材の底部梱包部材を支持するように、下段の梱包材の底部梱包部材に着脱自在に嵌合する複数のスペーサーと、を備えることを特徴とする梱包材。
【請求項２】
前記底部梱包部材の底面には、上下方向に段積みした状態で、前記上段の梱包材の底部梱包部材と前記下段の梱包材のスペーサーとを係合させる係合部が形成されていることを特徴とする請求項１に記載の梱包材。
【請求項３】
前記底部梱包部材の収納凹部には、前記底部梱包部材から取り外した前記複数のスペーサーを収納する空間が形成されていることを特徴とする請求項１または２に記載の梱包材。
【請求項４】
前記各スペーサーは、前記梱包材を上下方向に段積みした状態で、前記上段の梱包材の底部梱包部材を支持するとともに前記下段の梱包材の底部梱包部材に着脱自在に嵌合する嵌合柱部と、該嵌合柱部に連結し、前記上段の梱包材の底部梱包部材を支持する支持板部と、を有しており、
前記底部梱包部材には、前記複数のスペーサーにより前記収納凹部を挟んで前記支持板部が配置されるように、前記嵌合柱部に嵌合する嵌合凹部が形成されていることを特徴とする請求項１〜３のいずれか一項に記載の梱包材。
【請求項５】
前記各スペーサーは、前記嵌合柱部を少なくとも２つ備えており、少なくとも２つの前記嵌合柱部は、前記支持板部の両側に連結されていることを特徴とする請求項４に記載の梱包材。
【請求項６】
前記底部梱包部材と前記スペーサーとは、異なる色を有することを特徴とする請求項１〜５のいずれか一項に記載の梱包材。
【請求項７】
前記各スペーサーは、前記底部梱包部材を構成する材料よりも、硬質の材料からなることを特徴とする請求項１〜６のいずれか一項に記載の梱包材。
【考案の詳細な説明】
【技術分野】
【０００１】
本考案は、被梱包物を梱包した状態で、上下方向に段積みされる梱包材に関する。
【背景技術】
【０００２】
従来から、被梱包物を梱包する際に、梱包材が利用されている。梱包材には、被梱包物を収納する収納凹部が形成されており、被梱包物を収納凹部に収納した状態で、梱包材は、上下方向に段積みされて、輸送または保管されることが多い。
【０００３】
このような梱包材として、たとえば特許文献１には、被梱包物を収納する収納凹部が形成された梱包材が提案されている。この梱包材には、収納凹部に収納された被梱包物を上下方向に段積みした状態で、上段の梱包材の底部が下段の梱包材の収納凹部の一部に入り込む空間が形成されている。
【先行技術文献】
【特許文献】
【０００４】
【特許文献１】特許第４４７１８０６号公報
【考案の概要】
【考案が解決しようとする課題】
【０００５】
特許文献１に係る梱包材は、上下方向に段積みした状態で、上段の梱包材の底部が下段の梱包材の収納凹部の一部に入り込むので、被梱包物を梱包した梱包体を上下方向にコンパクトに段積みすることができる。
【０００６】
しかしながら、梱包材の高さは、被梱包物を収納するため、少なくとも被梱包物の高さよりも高くなってしまう。これにより、梱包材のみを保管する際には、梱包材が嵩張ってしまうため、比較的大きな保管スペースが必要となる。
【０００７】
本考案は、このような点を鑑みてなされたものであり、その目的とすることころは、被梱包物を梱包前、または、被梱包物を開梱後、梱包材をコンパクトに保管することができる梱包材を提供することにある。
【課題を解決するための手段】
【０００８】
前記課題を鑑みて、本考案に係る梱包材は、被梱包物を梱包した状態で、上下方向に段積みされる梱包材であって、前記梱包材は、前記被梱包物の底部を収納する収納凹部が形成された底部梱包部材と、前記梱包材を上下方向に段積みした状態で、上段の梱包材の底部梱包部材を支持するように、下段の梱包材の底部梱包部材に着脱自在に嵌合する複数のスペーサーと、を備えることを特徴とする。
【０００９】
本考案によれば、被梱包物を梱包する前には、底部梱包部材にスペーサーを嵌合する必要がないので、これらを分解した状態（非嵌合の状態）でコンパクトに保管することができる。梱包材で被梱包物を梱包し、梱包材（梱包体）を上下方向に段積みする際には、底部梱包部材にスペーサーを嵌合させ、上段の底部梱包部材を、下段の梱包材のスペーサーで支持することができる。一方、被梱包物を開梱した後には、底部梱包部材からスペーサーを取り外すことができるので、梱包材をコンパクトに保管することができる。
【００１０】
より好ましい態様としては、前記底部梱包部材の底面には、上下方向に段積みした状態で、前記上段の梱包材の底部梱包部材と前記下段の梱包材のスペーサーとを係合させる係合部が、形成されている。この態様によれば、上下方向に段積みした状態で、上段の梱包材の底部梱包部材の係合部に、下段の梱包材のスペーサーが係合するので、梱包材（梱包体）を安定して上下方向に段積みすることができる。
【００１１】
より好ましい態様としては、前記底部梱包部材の収納凹部には、前記底部梱包部材から取り外した前記複数のスペーサーを収納する空間が形成されている。この態様によれば、梱包材を保管する際、底部梱包部材から取り外し、収納凹部の空間にスペーサーを収納することができる。これにより、梱包材をよりコンパクトに保管することができる。
【００１２】
より好ましい態様としては、前記各スペーサーは、前記梱包材を上下方向に段積みした状態で、前記上段の梱包材の底部梱包部材を支持するとともに前記下段の梱包材の底部梱包部材に着脱自在に嵌合する嵌合柱部と、該嵌合柱部に連結し、前記上段の梱包材の底部梱包部材を支持する支持板部と、を有しており、前記底部梱包部材には、前記複数のスペーサーにより前記収納凹部を挟んで前記支持板部が配置されるように、前記嵌合柱部に嵌合する嵌合凹部が形成されている。
【００１３】
この態様によれば、下段の梱包材の複数のスペーサーの嵌合柱部と、これに連結される支持板部とにより、上段の梱包材を安定して支持することができる。特に、嵌合柱部を嵌合凹部に嵌合した状態で、下段の梱包材の複数のスペーサーの支持板部を、収納凹部を挟んで配置することができるので、上段の梱包材を安定して支持することができる。
【００１４】
さらに好ましい態様としては、前記各スペーサーは、前記嵌合柱部を少なくとも２つ備えており、少なくとも２つの前記嵌合柱部は、前記支持板部の両側に連結されている。この態様によれば、２つの嵌合柱部は支持板部の両側で連結されているので、スペーサーの上下方向の剛性を高めることができる。
【００１５】
より好ましい態様としては、前記底部梱包部材と、前記スペーサーとは、異なる色を有する。この態様によれば、底部梱包部材とスペーサーとを、異なる色にすることで、保管された梱包材のスペーサーを容易に視認し、梱包時に、底部梱包部材にスペーサーを取り付けることができる。
【００１６】
より好ましい態様としては、前記各スペーサーは、前記底部梱包部材を構成する材料よりも、硬質の材料からなる。この態様によれば、スペーサーの強度を高め、上下方向の段積み時のスペーサーの変形を抑えることができる。
【考案の効果】
【００１７】
本考案によれば、梱包材を保管する際に、コンパクトに保管することができる。
【図面の簡単な説明】
【００１８】
【図１】本考案の第１実施形態に係る梱包材の模式的分解斜視図である。
【図２】図１に示す底部梱包部材を裏面側から見た模式的斜視図である。
【図３】図１に示す梱包材に被梱包物を梱包した状態を示した梱包体の模式的斜視図である。
【図４】図３に示す梱包体を上下方向に段積みした状態を示した長手方向の側面図である。
【図５】図３に示す梱包体を上下方向に段積みした状態を示した短手方向の側面図である。
【図６】図１に示す底部梱包部材にスペーサーを収納した状態の模式的斜視図である。
【図７】本考案の第１実施形態の変形例に係る梱包材の模式的分解斜視図である。
【図８】図７に示す梱包材に被梱包物を梱包した状態を示した梱包体の模式的斜視図である。
【図９】本考案の第１実施形態のさらなる変形例に係る梱包材の模式的分解斜視図である。
【図１０】図９に示す梱包材に被梱包物を梱包した状態を示した梱包体の模式的斜視図である。
【考案を実施するための形態】
【００１９】
以下に、図１〜図１０を用いて、本考案に係る梱包材の実施形態を説明する。
【００２０】
〔第１実施形態〕
図１は、本考案の第１実施形態に係る梱包材１の模式的分解斜視図である。図２は、図１に示す底部梱包部材１０を裏面側から見た模式的斜視図である。図３は、図１に示す梱包材１に被梱包物Ｐを梱包した状態を示した梱包体１００の模式的斜視図であり、図４および図５は、図３に示す梱包体１００を上下方向に段積みした状態を示した長手方向および短手方向の側面図である。図６は、図１に示す底部梱包部材１０にスペーサー２０，２０を収納した状態の模式的斜視図である。
【００２１】
図１〜図５に示すように、梱包材１は、被梱包物Ｐを梱包した状態で、上下方向に段積みされる梱包材である。梱包材１は、底部梱包部材１０と、一対のスペーサー２０，２０とを備えている。
【００２２】
底部梱包部材１０の材質は、梱包材１の軽量化を図ることができるばかりでなく、被梱包物Ｐへの衝撃吸収性（衝撃緩衝性）を高めることができることから、たとえば熱可塑性樹脂の発泡樹脂であることが好ましい。熱可塑性樹脂には、ポリオレフィン系樹脂（例えばポリプロピレン系樹脂、ポリエチレン系樹脂など）、ポリスチレン樹脂、ポリエステル系樹脂（例えば、ポリエチレンテレフタレート、ポリブチレンテレフタレート、ポリエチレンナフタレート、ポリ乳酸系樹脂など）、ポリカーボネート系樹脂などが挙げられる。
【００２３】
スペーサー２０の材質は、底部梱包部材１０の材質と同じく、上述した樹脂材料であってもよいが、より好ましくは、スペーサー２０は、底部梱包部材１０よりも硬質の材料からなる。たとえば、スペーサー２０の材質としては、上述した発泡樹脂よりも発泡倍率が低い樹脂または非発泡樹脂、または木材等を挙げることができる。スペーサー２０を硬質にすることで、スペーサー２０の強度を高め、上下方向の段積み時のスペーサー２０の変形を抑えることができる。
【００２４】
本実施形態では、図１に示すように、底部梱包部材１０は、上面視矩形状であり、短手方向の両側の側面には、搬送用の把持用凹部１７が形成されている。底部梱包部材１０の上面１１には、被梱包物Ｐの底部Ｐｂを収納する収納凹部１４が形成されている。
【００２５】
より具体的には、収納凹部１４には、最大３つの被梱包物Ｐを並置して収納する空間が形成されている。本実施形態では、被梱包物Ｐの底部Ｐｂを収納凹部１４に収納した状態で、被梱包物Ｐの上部Ｐｔは、底部梱包部材１０の上面１１から上方に突出している。なお、本実施形態では、収納凹部１４は、図６に示すように、底部梱包部材１０から取り外した２つのスペーサー２０，２０を収納する空間としても利用可能な大きさとなっている。
【００２６】
底部梱包部材１０の上面１１の四隅には、スペーサー２０と着脱自在に嵌合する嵌合凹部１２が形成されている。一方、図２に示すように、底部梱包部材１０の底面１３には、梱包材１（梱包体１００）を上下方向に段積みした状態で、上段の梱包材１の底部梱包部材１０と下段の梱包材１のスペーサー２０とを係合させる係合凹部（係合部）１５が、形成されている。
【００２７】
本実施形態では、底部梱包部材１０の収納凹部１４に被梱包物Ｐを収納し、各嵌合凹部１２に一対のスペーサー２０を嵌合した（取り付けた）状態で、梱包体１００とされる（図３参照）。被梱包物Ｐは、梱包体１００を上下方向に段積みした状態で、輸送および保管される。
【００２８】
本実施形態では、２つのスペーサー２０は、梱包材１を上下方向に段積みした状態で、上段の底部梱包部材１０と下段の底部梱包部材１０との間に、被梱包物Ｐが収納される空間を確保するための部材である。
【００２９】
具体的には、２つのスペーサー２０，２０は、上段の梱包材１の底部梱包部材１０を支持するように、下段の梱包材１の底部梱包部材１０に着脱自在に嵌合する。各スペーサー２０は、底部梱包部材１０の嵌合凹部１２に嵌合する一対の嵌合柱部２１，２１と、これらのそれぞれを両端で離間して連結した支持板部２２とを備えている。
【００３０】
具体的には、図３および図４に示すように、嵌合柱部２１は、梱包材１を上下方向に段積みした状態で、上段の梱包材１の底部梱包部材１０を支持するとともに、下段の梱包材１の底部梱包部材１０に着脱自在に嵌合するように構成されている。
【００３１】
各嵌合柱部２１は、支持板部２２から下方に突出した突出部２１ａを有している。突出部２１ａを嵌合凹部１２に嵌合させた状態で、支持板部２２が底部梱包部材１０の上面１１に当接するように、各嵌合柱部２１は、支持板部２２の両側に連結されている。
【００３２】
支持板部２２は、嵌合柱部２１とともに、段積み時に上段の梱包材１の底部梱包部材１０を支持する部分であり、スペーサー２０を底部梱包部材１０に取付けた（嵌合させた）ときに、梱包材１の側壁部分として作用する。
【００３３】
本実施形態では、２つのスペーサー２０，２０を底部梱包部材１０に取付けた状態で、２つのスペーサー２０，２０により収納凹部１４を挟んで支持板部２２，２２が対向した位置に配置されるように、底部梱包部材１０には各嵌合凹部１２が形成されている。
【００３４】
以下に、本実施形態に係る梱包材による梱包方法を説明する。
まず、底部梱包部材１０の収納凹部１４に、被梱包物Ｐを収納する。次に、底部梱包部材１０の嵌合凹部１２に、各スペーサー２０の突出部２１ａを挿入し、スペーサー２０の支持板部２２が底部梱包部材１０の上面１１に当接するまで、底部梱包部材１０にスペーサー２０を押し込み、嵌合させる。このようにして、図３に示すように、梱包材１で被梱包物Ｐを梱包した梱包体１００を得ることができる。
【００３５】
本実施形態では、底部梱包部材１０の嵌合凹部１２にスペーサー２０の突出部２１ａを嵌合させることで、スペーサー２０の支持板部２２を梱包材１の側壁部分として作用させることができる。特に、本実施形態では、２つの嵌合柱部２１，２１が支持板部２２の両側で連結されているので、スペーサー２０の上下方向の剛性を高めることができる。
【００３６】
次に、図３および図４に示すように、上段の梱包材１の底部梱包部材１０と下段の梱包材１のスペーサー２０とを係合凹部１５で係合させて、複数の梱包体１００（梱包材１）を上下方向に段積みする。これにより、底部梱包部材１０にスペーサー２０を嵌合させ、梱包体１００を安定して上下方向に段積みし、上段の底部梱包部材１０を、下段の梱包材１のスペーサー２０で支持することができる。
【００３７】
本実施形態では、下段の梱包材１の複数のスペーサー２０の嵌合柱部２１と、これに連結される支持板部２２とにより、上段の梱包材１を安定して支持することができる。特に、本実施形態では、下段の梱包材１の複数のスペーサー２０，２０の支持板部２２を、収納凹部１４を挟んで配置することができるので、上段の梱包材１を安定して支持することができる。
【００３８】
そして、被梱包物Ｐを開梱後には、底部梱包部材１０から一対のスペーサー２０，２０を取り外す。本実施形態では、図６に示すように、取り外した一対のスペーサー２０，２０を底部梱包部材１０の収納凹部１４に収納する。
【００３９】
このように、本実施形態によれば、被梱包物Ｐを開梱した後には、底部梱包部材１０からスペーサー２０を取り外すことができるので、梱包材１をコンパクトに保管することができる。特に、底部梱包部材１０の収納凹部１４の空間にスペーサー２０を収納することができる。これにより、梱包材１をよりコンパクトに保管することができる。
【００４０】
図７は、本考案の第１実施形態の変形例に係る梱包材１Ａの模式的分解斜視図であり、図８は、図７に示す梱包材１Ａに被梱包物Ｐを梱包した状態を示した梱包体１００Ａの模式的斜視図である。
【００４１】
この変形例に係る梱包材１Ａが、図１に示す梱包材１と相違する点は、図１に示すスペーサー２０に支持板部２２を設けずに、図７に示す４つの嵌合柱部材２１Ａをスペーサー２０Ａとした点である。したがって、図１に示す梱包材と同じ部材および部位は、同じ符号を付して、詳細な説明を省略する。
【００４２】
本実施形態では、図７および図８に示すように、梱包材１Ａは、複数のスペーサー２０Ａとして４つの嵌合柱部材２１Ａを備えている。４つの嵌合柱部材２１Ａは、図１に示すスペーサー２０の嵌合柱部２１と同じ形状および大きさである。
【００４３】
これにより、各嵌合柱部材２１Ａは、底部梱包部材１０の４隅に形成された嵌合凹部１２に着脱自在に嵌合することができる。梱包体１００Ａ（梱包材１Ａ）を上下方向に段積みする際には、下段の梱包体１００Ａ（梱包材１Ａ）の４つの嵌合柱部材２１Ａで、上段の梱包体１００Ａ（梱包材１Ａ）の底部梱包部材１０を支持することができる。被梱包物Ｐの開梱後には、４つの嵌合柱部材２１Ａを底部梱包部材１０から取り外し、これらを収納凹部１４に収納することができる。
【００４４】
図９は、本考案の第１実施形態のさらなる変形例に係る梱包材１Ｂの模式的分解斜視図であり、図１０は、図９に示す梱包材１Ｂに被梱包物Ｐを梱包した状態を示した梱包体１００Ｂの模式的斜視図である。
【００４５】
この変形例に係る梱包材１Ｂが、図１に示す梱包材と相違する点は、スペーサー２０Ｂの支持板部２２Ａの構成である。したがって、図１に示す梱包材と同じ部材および部位は、同じ符号を付して、詳細な説明を省略する。
【００４６】
本実施形態では、スペーサー２０Ｂは、４つ設けられており、各スペーサー２０Ｂには、嵌合柱部２１と、嵌合柱部２１に連結された支持板部２２Ａを備えている。この変形例では、嵌合柱部２１は、支持板部２２Ａの一端側のみに取付けられている。ここで、嵌合柱部２１を底部梱包部材１０の嵌合凹部１２に嵌合させた状態で、上面視において、矩形状の底部梱包部材１０の各辺に支持板部２２Ａが配置されるように、支持板部２２Ａは嵌合柱部２１に連結されている。
【００４７】
このようにして、梱包体１００Ｂ（梱包材１Ｂ）を上下方向に段積みする際には、各スペーサー２０Ｂを、底部梱包部材１０に嵌合した状態で、下段の梱包体１００Ｂ（梱包材１Ｂ）の４つのスペーサー２０Ｂで、上段の梱包体１００Ｂ（梱包材１Ｂ）の底部梱包部材１０の４辺を安定的に支持することができる。被梱包物Ｐの開梱後には、４つのスペーサー２０Ｂを底部梱包部材１０から取り外し、これらを収納凹部１４に収納することができる。
【００４８】
以上、本考案の実施の形態を用いて詳述してきたが、具体的な構成はこの実施形態及び実施例に限定されるものではなく、本考案の要旨を逸脱しない範囲における設計変更があっても、それらは本考案に含まれるものである。
【００４９】
本実施形態では、底部梱包部材とスペーサーとは同じ色であったが、底部梱包部材を黒色またはグレー色とし、スペーサーを白色とするなど、底部梱包部材の色とスペーサーの色を異なる色にしてもよい。これにより、底部梱包部材の収納凹部にスペーサーを収納したとしても、スペーサーを視認し易い。このような結果、底部梱包部材にスペーサーを簡単に取り付けることができる。
【符号の説明】
【００５０】
１，１Ａ，１Ｂ：梱包材、１０：底部梱包部材、１２：嵌合凹部、１４：収納凹部、１５：係合凹部（係合部）、１７：把持用凹部、２０，２０Ａ，２０Ｂ：スペーサー、２１：嵌合柱部、２１Ａ：嵌合柱部材、２１ａ：突出部、２２，２２Ａ：支持板部、Ｐ：被梱包物、Ｐｔ：上部、Ｐｂ：底部
【図１】
0003201446.tif 000003
【図２】
0003201446.tif 000004
【図３】
0003201446.tif 000005
【図４】
0003201446.tif 000006
【図５】
0003201446.tif 000007
【図６】
0003201446.tif 000008
【図７】
0003201446.tif 000009
【図８】
0003201446.tif 000010
【図９】
0003201446.tif 000011
【図１０】
0003201446.tif 000012